(57)【要約】  【課題】  電源コードの交換作業を簡単に行え、空中を伝うノイズが電源コードに伝わるのを確実に防ぐことができる電子レンジを提供する。  【解決手段】  電子レンジ本体１と、該本体１内に設けられた電装室２と、この電装室２と電波的に仕切られた隔室９と、該隔室９内に設けられ前記本体１外部へ引き出される電源コード１３が接続されるノイズフィルタ１２とを備えた電子レンジにおいて、前記隔室９を、前記本体１の前側底部に着脱自在に取り付けたノイズフィルタボックス７内に形成したことを特徴とする。【選択図】      図１
2005149998.tif 000002
【特許請求の範囲】
【請求項１】
電子レンジ本体と、該本体内に設けられた電装室と、この電装室と電波的に仕切られた隔室と、該隔室内に設けられ前記本体外部へ引き出される電源コードが接続されるノイズフィルタとを備えた電子レンジにおいて、前記隔室を、前記本体の前側底部に着脱自在に取り付けたノイズフィルタボックス内に形成したことを特徴とする電子レンジ。
【請求項２】
前記ノイズフィルタボックスが、前記本体の脚の一部を兼ねることを特徴とする請求項１に記載の電子レンジ。
【請求項３】
前記電装室と前記隔室とは電波的に仕切られていることを特徴とする請求項１又は請求項２に記載の電子レンジ。
【発明の詳細な説明】
【技術分野】
【０００１】
本発明は、ノイズ対策構造を改良した電子レンジに関するものである。
【背景技術】
【０００２】
電子レンジでは、本体ケーシング内に、加熱室と電装室が画成されており、電装室にマグネトロン、トランス、電子ユニットなどを配置している。そして、電子ユニットを介してトランス等に商用電源を供給するために、本体ケーシングの外側へ引き出される電源コードを備えている。電子ユニットと電源との接続は、まず電源コードがノイズフィルタに接続され、このノイズフィルタと前記電子ユニットとの間を導電路によって接続することにより行う。このノイズフィルタにより、トランスから発生したノイズのうち、導電線を伝うものは取り除かれ、電源コードから家屋の内部配線を伝うことがなく、テレビやラジオなどの他の電子機器にノイズが発生して悪影響が出るのが防止される。
【０００３】
このような電子レンジの例として、特許文献１には、ノイズフィルタが本体後方に設置されたものが示され、また、特許文献２には、脚を有する底板上に、電子ユニットをその前方が高くなるように傾斜配置し、該電子ユニットの前部下方に生じたスペースを利用して、ノイズフィルタを設置したものが記載されている。
【特許文献１】実開平４−５４１９７号公報（第２図）
【特許文献２】特開２００１−１５２５８号公報（第００２７段落、第１図）
【発明の開示】
【発明が解決しようとする課題】
【０００４】
近年、住宅のリフォーム等により、システムキッチンの需要が拡大しており、キッチンのコンロ下等に奥行きのある全面開放の箱形のスペースを設け、該スペースに組み込む、いわゆるビルトインタイプとして設計されたオーブンや電子レンジが登場している。しかし、特許文献１のような電子レンジでは、本体後方に電源コード取付位置があるので、電源コード交換時に本体ごとビルトイン用の箱から取り出す必要があり、作業が面倒くさかった。
【０００５】
また、特許文献２のものでは、ノイズフィルタが電装室内部に存在するため、トランスから発生したノイズのうち、空中を伝うものが電源コードに乗りやすいという欠点がある。
【０００６】
本発明は、上記従来の課題に鑑みてなされたものであり、電源コードの交換作業を簡単に行え、空中を伝うノイズが電源コードに伝わるのを確実に防ぐことができる電子レンジを提供することを目的とする。
【課題を解決するための手段】
【０００７】
上記目的を達成するため本発明は、電子レンジ本体と、該本体内に設けられた電装室と、この電装室と電波的に仕切られた隔室と、該隔室内に設けられ前記本体外部へ引き出される電源コードが接続されるノイズフィルタとを備えた電子レンジにおいて、前記隔室を、前記本体の前側底部に着脱自在に取り付けたノイズフィルタボックス内に形成したことを特徴とする。
【０００８】
この構成によると、ノイズフィルタが本体底部に設けられているため電子レンジの使用状態において目立たず、また必要に応じてノイズフィルタボックスを取り外すことで、本体をばらすことなく前方から電源コードやヒューズの交換が行える。
【０００９】
また、前記ノイズフィルタボックスが、前記本体の脚の一部を兼ねることで、脚の数を減らせ、製品価格が低減される。
【００１０】
そして、ノイズ遮蔽板などを用いて前記電装室と前記隔室とを電波的に仕切ることで、トランスから発生したノイズのうち、空中を伝うものを遮蔽することが可能となる。
【発明の効果】
【００１１】
本発明によると、電子レンジがビルトイン用の箱内に窮屈に設置されている場合でも、本体を箱から下ろすことなく、少し引き出してノイズフィルタボックスを取り外すだけで、ノイズフィルタを露出せせることができ、電源コードの交換やヒューズの取付を極めて容易に行え、サービス性が向上する。
【発明を実施するための最良の形態】
【００１２】
図１は本発明に係る電子レンジの一例の側面断面図であり、図２はその要部拡大断面図である。１は電子レンジ本体、２は本体１内に設けられ、電装部品を収納配置する電装室、３は上記電装室２内に設けられ、加熱室（図示せず）にマイクロ波を供給するマグネトロン、４は上記マグネトロンに高電圧を供給する高圧トランス、５はマイクロ波加熱時、発熱する上記マグネトロン３、高圧トランス４等の電機部品を冷却する冷却ファンである。６は本体１を支持する脚、７は上記本体１の底板１１に着脱自在に取り付けたノイズフィルタボックスで、このノイズフィルタボックス７は少なくとも本体１の脚の一部を兼ねるとともに、電装室２とはノイズ遮蔽板８で電波的に仕切られ、本体１の前側底部に隔室９を形成する。この隔室９内には、ヒューズ１０等を実装したノイズフィルタ１２を収納する。１３は上記ノイズフィルタ１２と商用電源を接続する電源コード、１４は上記ノイズ遮蔽板８を貫通し、電子ユニット（図示せず）と上記ノイズフィルタ１２とを接続する導電線である。
【００１３】
図３は、上記構成の電子レンジの使用状態を示した平面図である。この図に示すように、電子レンジは、前面開放のビルトイン用の箱１５内に本体１全体が収まるように、窮屈に設置される。電源コード１３の先端のプラグ（図示せず）は、箱１５の内壁に設けられたコンセント（図示せず）に差し込まれる。
【００１４】
上記構成によると、電装室２と電波的に仕切られた隔室９内に、上記ノイズフィルタ１２を設けて商用電源に接続したので、ノイズフィルタ１２及び電源コード１３は、マグネトロン３等から輻射される不要輻射波に晒されず、また電装室２内の雰囲気温度上昇の影響も小さい。また、隔室９を本体１の前側底部に形成したので、電源コード１３やヒューズ１０の取付や交換時に、本体１を箱１５から下ろすことなく、本体１を手前へ引き出し、ノイズフィルタボックス７を取り外すだけで容易に作業ができるので、サービス性が向上する。また、隔室９が脚の一部を兼ねるため、脚の数を減らせ、その分製品価格が低減されると同時に、作業が省けるので組み立て時間の短縮にもなる。
【産業上の利用可能性】
【００１５】
本発明は、ビルトイン用として設計された電子レンジなどに利用することができる。
【図面の簡単な説明】
【００１６】
【図１】は、本発明に係る電子レンジの一例の側面断面図である。
【図２】は、同上電子レンジの要部拡大断面図である。
【図３】は、同上電子レンジの使用状態の一例を示す平面図である。
【符号の説明】
【００１７】
１    電子レンジ本体
２    電装室
３    マグネトロン
４    高圧トランス
５    冷却ファン
６    脚
７    ノイズフィルタボックス
８    ノイズ遮蔽板
９    隔室
１０  ヒューズ
１１  底壁
１２  ノイズフィルタ
１３  電源コード
１４  導電線
１５  ビルトイン用の箱
【図１】
2005149998.tif 000003
【図２】
2005149998.tif 000004
【図３】
2005149998.tif 000005